(57)【特許請求の範囲】
【請求項１】
メインカッター（１）と原動機（２）を有する水平走行部分（Ｘ）の側部にサイドカッター（３）を有する傾動部分（Ｙ）が枢支軸線（ＯーＯ）を中心として上下揺動自在に支持され、前記水平走行部分（Ｘ）と前記傾動部分（Ｙ）間に、前端部に第一ベベルギア（１４）及び後端部に第二ベベルギア（１５）を有する回動支点軸（８）が前記枢支軸線（ＯーＯ）に一致させて掛け渡され、前記回動支点軸（８）の前端部の前記第一ベベルギア（１４）には、前記水平走行部分（Ｘ）の前記メインカッター（１）と前記サイドカッター（３）との間において支持された中間軸（９）の下端の第三ベベルギア（２６）が噛み合わされ、前記後端部の第二ベベルギア（１５）には、前記傾動部分（Ｙ）に支持されたサイドカッター駆動軸（２８）の下端の第四ベベルギア（２７）が噛み合わされ、さらに、前記中間軸（９）には中間軸第一プーリ（１０）及び中間軸第二プーリ（２９）が固設され、前記サイドカッター駆動軸（２８）には駆動プーリ（３０）が固設され、前記中間軸プーリ（１０）と前記原動機（２）の出力軸（２ａ）に固設された原動機軸プーリ（７）間に第一ベルト（１１）、前記中間軸第二プーリ（２９）と前記メインカッター（１）の回転軸（１ａ）に固設されたメインカッター軸プーリ（３１）間に第二ベルト（３２）、さらに、前記駆動プーリ（３０）と前記サイドカッター（３）の回転軸（３ａ）に固設されたサイドカッタープーリ（３５）間にベルト（３６）が巻き掛けられてなることを特徴とする畦用草刈機。
【発明の詳細な説明】
【０００１】
【発明の属する技術分野】
本発明は、メインカッターとサイドカッターとを備えた畦用草刈機に関する。
【０００２】
【従来の技術】
従来、畦用の草刈機としては、略水平の畦の上面に沿って回転するメインカッターと、下向き傾斜面の畦の法面に沿って回転するサイドカッターを備え、搭載した一つの原動機としての内燃エンジンで前記両カッターを回転駆動させるものが知られている（特開平５ー３０８３７号公報参照）。前記のごとき従来の畦用草刈機においては、サイドカッターの傾斜具合にかかわらず、該サイドカッターへの回転駆動力がスムースに伝達されなければならない。
【０００３】
そして、前記従来の畦用草刈機では、前記内燃エンジンの出力軸に設けられたプーリと、前記メインカッターの回転軸に設けられたプーリ間が第一の伝動ベルトで連係され、さらに、前記メインカッターの回転軸に別に設けたプーリとサイドカッターの回転軸に設けられたプーリ間に第二の伝動ベルトを懸架したものであり、該第二の伝動ベルトの長さが前記サイドカッターの傾斜具合によって変化するため、前記第二の伝動ベルトにテンションローラを圧接させている。
【０００４】
また、前記サイドカッターを傾斜させると、前記メインカッターの回転軸に設けられたプーリとサイドカッターの回転軸に設けられたプーリとの間に角度（段差）が生じ、その間の伝動ベルトが不自然に傾斜させられるものであった（前記公開公報第５図、第１０図等参照）。
【０００５】
【発明が解決しようとする課題】
本発明は、原動機の動力をメインカッター及び傾斜させたサイドカッターに確実に伝達可能であるとともに、特に部品点数を削減した一体構成とすることにより簡単な構造でサイドカッター側への負荷重量を軽減し、その取扱いが容易である畦用草刈機を提供することを目的とする。
【０００６】
【課題を解決するための手段】
前記課題を解決するため、本発明は、メインカッターと原動機を有する水平走行部分の側部にサイドカッターを有する傾動部分が枢支軸線を中心として上下揺動自在に支持され、前記水平走行部分と前記傾動部分間に、前端部に第一ベベルギア及び後端部に第二ベベルギアを有する回動支点軸が前記枢支軸線に一致させて掛け渡され、前記回動支点軸の前端部の前記第一ベベルギアには、前記水平走行部分の前記メインカッターと前記サイドカッターとの間において支持された中間軸の下端の第三ベベルギアが噛み合わされ、前記後端部の第二ベベルギアには、前記傾動部分に支持されたサイドカッター駆動軸の下端の第四ベベルギアが噛み合わされ、さらに、前記中間軸には中間軸第一プーリ及び中間軸第二プーリが固設され、前記サイドカッター駆動軸には駆動プーリが固設され、前記中間軸プーリと前記原動機の出力軸に固設された原動機軸プーリ間に第一ベルト、前記中間軸第二プーリと前記メインカッターの回転軸に固設されたメインカッター軸プーリ間に第二ベルト、さらに、前記駆動プーリと前記サイドカッターの回転軸に固設されたサイドカッタープーリ間にベルトが巻き掛けられてなる構成としたものである。
【０００７】
【発明の実施の形態】
以下、本発明の実施の一形態を図面に基づいて説明する。図１は本発明の畦用草刈機の実施の一形態を示す全体斜視図、図２はその動力伝達機構を示す概略平面図、図３は図２のＩＩＩーＩＩＩ矢視要部断面図、図４は図２のＩＶーＩＶ矢視要部断面図である。
【０００８】
図示例の畦用草刈機は、短冊状のメインカッター１と原動機としての空冷式四サイクルガソリンエンジン２を有する水平走行部分（Ｘ）と、前記メインカッター１と同じ短冊状のサイドカッター３を有する傾動部分（Ｙ）を有して構成され、さらに、該傾動部分（Ｙ）が前記水平走行部分（Ｘ）の左側部後方に枢支軸線（ＯーＯ）を中心として上下に揺動自在に支持されてなる。図中、４は前部案内輪、５は後部駆動輪、６は操作ハンドルである。
【０００９】
なお、前記後部駆動輪５は、特に図示していないが、前記エンジン２からプロペラシャフト及び変速装置、該変速装置の出力軸に設けられたスプロケット、減速用スプロケット及び減速用チエーン等からなる減速装置を介して駆動させられる構成になっている。
【００１０】
まず、前記エンジン２から前記メインカッター１及びサイドカッター３への動力伝達機構について説明する。
【００１１】
本実施例では、前記エンジン２の下方へ突設された出力軸２ａに固設されたエンジン軸プーリ７と、前記水平走行部分（Ｘ）側の前記メインカッター１と前記サイドカッター３との間において支持された後述する前半軸受筐８ａから上方へ突出した中間軸９の上部に固設された中間軸第一プーリ１０との間に第一ベルト１１としてのＶベルトが緩く巻き掛けられる。
【００１２】
そして、該第一ベルト１１の外側には、図２に示されているように、回転自在のテンションローラ１２が配置され、該テンションローラ１２は、前記第一ベルト１１に圧接して該第一ベルト１１に動力伝達のための所定の張力を与える方向と、その張力を解除して動力伝達を断つ方向とに変位可能に構成されている。すなわち、前記テンションローラ１２はクラッチとして作用し、前記操作ハンドル６に取付けられた刈刃クラッチレバー１３の操作によって変位させられる構成になっている。
【００１３】
つぎに、本実施例では、前記水平走行部分（Ｘ）の左側部後方に前記傾動部分（Ｙ）が上下に揺動自在に支持される。図示の実施の形態においては、図１、図２及び図３に示されているように、前記水平走行部分（Ｘ）と前記傾動部分（Ｙ）間に枢支軸線（ＯーＯ）と一致させて回動支点軸８が掛け渡される。
【００１４】
該回動支点軸８は、図３に示されているように、前端部に第一ベベルギア１４が設けられ、後端部に第二ベベルギア１５が設けられ、さらに、前記回動支点軸８の前端部が、前記メインカッター１を覆うカバ−２２側に支持された前半軸受筐８ａ内でベアリング１７により回動自在に支持され、後端部が前記サイドカッター３を覆うカバ−２４側に支持されるとともに前記前半軸受筐８ａとは独立して設けられた後半軸受筐８ｂ内でベアリング１８により回動自在に支持される。
【００１５】
さらに、前記回動支点軸８の前端部の前記第一ベベルギア１４には、前記水平走行部分（Ｘ）側に支持された第三ベベルギア２６が上方から噛み合わされ、前記回動支点軸８の後端部の前記第二ベベルギア１５には、前記傾動部分（Ｙ）側に支持された第四ベベルギア２７が上方から噛み合わされて構成されている。そして、前記第三ベベルギア２６及び前記第四ベベルギア２７の各回転軸である前記中間軸９の上端及び前記前半軸受筐８ａから上方へ突出したサイドカッター駆動軸２８の上端には、それぞれ中間軸第二プ−リ２９及び駆動プ−リとしてコグプ−リ３０が固設されている。
【００１６】
前記構成において、前記傾動部分（Ｙ）を傾動調節して所望の法面角度に合わせて使用することができ、該傾動部分（Ｙ）を任意の角度に傾動調節した場合にも、前記サイドカッター３への動力伝達系には変化がなく、該サイドカッター３をスムーズに回転駆動させることができる。すなわち、図３及び図４に示されているように、前記サイドカッター３とそのカバ−２４部からなる前記傾動部分（Ｙ）を上下に傾動させると、前記回動支点軸８の後端部の前記第二ベベルギア１５に前記傾動部分（Ｙ）側に支持された第四ベベルギア２７が噛み合ったままで変位させられるだけで、動力伝達系には何ら無理が生じることがない。
【００１７】
なお、前記中間軸９の上端に固設された前記中間軸第二プ−リ２９は、前記メインカッター１の回転軸１ａの上端に固設したメインカッター軸プ−リ３１と高さを同じにして、その間に第二ベルト３２としてのＶベルトが巻き掛けられる。
【００１８】
そして、該第二ベルト３２の外側には、図２に示されているように、ばね３３により前記第二ベルト３２の外側に常時圧接されるオートテンションローラ３４が配置され、前記第二ベルト３２に動力伝達のための所定の張力を与える構成となっている。
【００１９】
また、前記コグプ−リ３０と、前記サイドカッター３の回転軸３ａの上端に設けたサイドカッタープ−リ３５間にはコグベルト３６が巻き掛けられて構成されている。図中、３７はそれぞれベアリング、３８は走行クラッチレバ−、３９は補助車輪である。
【００２０】
前記構成の本実施の形態においては、前記刈刃クラッチレバー１３を操作して前記テンションロ−ラ１２により前記第一ベルト１１に動力伝達に必要な所定の張力を与えると、前記エンジン２の動力がその出力軸２ａと同軸上の前記エンジン軸プ−リ７から前記第一ベルト１１を介して前記中間軸第一プ−リ１０に伝えられ、同時に、該中間軸第一プ−リ１０と同軸上の前記中間軸第二プ−リ２９が前記中間軸９とともに一体に回転させられる。そして、前記中間軸第二プ−リ２９の回転が、前記メインカッター軸プ−リ３１に前記第二ベルト３２を介して伝えられ、その回転軸１ａを介してメインカッター１が回転させられる。
【００２１】
さらに、前記中間軸９の回転が、同軸上の前記第三ベベルギア２６に伝えられ、該第三ベベルギア２６と噛み合っている前記回動支点軸８の前端部に設けられた前記第一ベベルギア１４に伝えられて、前記回動支点軸８が回動させられる。同時に、該回動支点軸８の後端部に設けられた前記第二ベベルギア１５が一体に回転させられ、その回転が該第二ベベルギア１５と噛み合っている前記第四ベベルギア２７を回転させる。
【００２２】
さらに、該第四ベベルギア２７が回転させられると、該第四ベベルギア２７の回転軸であるサイドカッター駆動軸２８の軸上の前記コグプ−リ３０が一体に回転させられる。そして、該コグプ−リ３０の回転が前記コグベルト３６によって前記サイドカッタープ−リ３５に伝えられ、該サイドカッタープ−リ３５の回転軸３ａを回転させて前記サイドカッター３を回転させる。
【００２３】
すなわち、本実施の形態では、該傾動部分（Ｙ）を任意の角度に傾動調節したり、自由に浮動せしめた場合にも、前記サイドカッター３への動力伝達に変化がなく、該サイドカッター３をスムーズに回転駆動させることができる。
【００２４】
すなわち、図３、図４に示されているように、前記傾動部分（Ｙ）、すなわち、前記サイドカッター３とそのカバ−２４部を上下傾動させたとしても、該カバ−２４部に支持されている前記前半軸受筐８ａ内の前記第四ベベルギア２７が、前記回動支点軸８の後端部に設けられた前記第二ベベルギア１５と噛み合ったまま変位させられるだけでその噛み合いが常に継続されるため、傾動具合によって動力伝達系に何らの影響が生ずることがなく、無理が生じることがない。
【００２５】
また、本実施の形態では、前記回動支点軸８を、前記中間軸９及びサイドカッター駆動軸２８とともに軸受筐８ａ及び８ｂ内に収容した一体構成として部品点数を削減した簡単な構造とすることにより、サイドカッター３側への負荷重量を軽減することができ、取扱いが容易で作業性を向上させることもできる。
【００２６】
なお、図示例では、前記サイドカッター３側における動力伝達に、プーリを小径のプラスチック製のものとして、装置の小形・軽量化が計れ、かつ、ベルトテンション手段省略可能であることからコグベルトを使用しているが、必要に応じて他の伝動機構を組み合わせて利用してもよい。
【００２７】
【発明の効果】
本発明では、一つの原動機により、常に無理なくメインカッター及びサイドカッターへの動力伝達を行うことができ、特にサイドカッターの傾動具合が変化してもスム−ズに回転駆動させることができるとともに、部品点数を削減した簡単な構造でサイドカッター側への負荷重量が軽減され、取扱いが容易である効果が得られる。
【図面の簡単な説明】
【図１】本発明の畦用草刈機の実施の一形態を示す全体斜視図である。
【図２】その動力伝達機構を示す概略平面図である。
【図３】図２のＩＩＩーＩＩＩ矢視要部断面図である。
【図４】図２のＩＶーＩＶ矢視要部断面図である。
【符号の説明】
１    メインカッター
１ａ  回転軸
２    原動機
２ａ  出力軸
３    サイドカッター
３ａ  回転軸
７    原動機軸プーリ
８    回動支点軸
９    中間軸
１０  中間軸第一プーリ
１１  第一ベルト
１４  第一ベベルギア
１５  第二ベベルギア
２６  第三ベベルギア
２７  第四ベベルギア
２８  サイドカッター駆動軸
２９  中間軸第二プーリ
３０  コグプーリ
３１  メインカッター軸プーリ
３２  第二ベルト
３５  サイドカッタープーリ
３６  コグベルト
Ｘ    水平走行部分
Ｙ    傾動部分
ＯーＯ  枢支軸線
【図１】
0003749575.tif 000002
【図２】
0003749575.tif 000003
【図３】
0003749575.tif 000004
【図４】
0003749575.tif 000005